(57)【要約】【課題】  金型プレスを使用せずに、吹付塗装に比べると再現性があってムラがなく、しかも変化に富み且つ絵柄模様と一体となった凹凸模様を付与できる化粧材を提供する。【解決手段】  基材１０の表面に、互いに独立した島状であって表面が平坦面からなる凸部領域２０が形成され、該凸部領域２０は、平面視形状が半島状突出部２１と湾状嵌入部２２とからなる閉曲線状の輪郭線を有すると共に、周縁部が丸みを帯びている構成にする。粉体塗装風の立体感のある凹凸模様を基材の表面に形成でき、しかも吹付塗装に比べて再現性がよく、ムラなく凹凸模様を再現することができる。【選択図】        図２
2011140234.tif 000002
【特許請求の範囲】
【請求項１】
基材の表面に、互いに独立した島状であって表面が平坦面からなる凸部領域が形成され、該凸部領域は、平面視形状が半島状突出部と湾状嵌入部とからなる閉曲線状の輪郭線を有すると共に、周縁部が丸みを帯びていることを特徴とする化粧材。
【請求項２】
基材の表面が粗面で、凸部領域の平坦面が平滑面であることを特徴とする請求項１に記載の化粧材。
【請求項３】
凸部領域の周縁部が土手状に盛り上がっていることを特徴とする請求項１又は２に記載の化粧材。
【請求項４】
凸部領域が互いに形状の異なった凸部の２段重ねになっている請求項１〜３のいずれかに記載の化粧材。
【請求項５】
凸部領域の１段目又は２段目の凸部のいずれか一方に金属箔粉顔料を添加してなる請求項４に記載の化粧材。
【請求項６】
請求項１〜５のいずれかに記載の化粧材を表面に有することを特徴とするドア。
【発明の詳細な説明】
【技術分野】
【０００１】
本発明は、建築物や車両などの内装や外装に使用される化粧材に係り、特に凹凸模様による高級感のある外観を有する化粧材に関するものである。
【背景技術】
【０００２】
従来より、この種の化粧材として、表面に凹凸を付けて高級感を出すようにしたものが知られている。例えば、化粧鋼板のドアでは、グラビアオフセット印刷により絵柄模様を形成することでデザインを付与したものが使用されている。また、金型でプレスしてエンボス加工を施したものも使用されている。或いは、粉体塗装により表面に凹凸の有る色彩乃至は模様を形成し、変化のあるデザインを施したものも使用されている。
【発明の概要】
【発明が解決しようとする課題】
【０００３】
上記した化粧材としての化粧鋼板のうち、シルクスクリーン印刷やグラビアオフセット印刷等により絵柄模様を形成したものは、平面的なデザインのみで単調であるため、高級感に乏しいという欠点がある。また、金型プレスでエンボス加工を施したものは、凹凸外観の表現が可能ではあるが、凹凸の形状が単調であるため、これまた高級感に乏しいという欠点があり、しかも金型のコストが非常に高いという問題点がある。また、粉体の吹付塗装で凹凸を形成したものは、凹凸外観が単なるエンボス加工よりも変化に富むが、凹凸模様の再現性がなく、しかも凹凸模様にムラが発生しやすいという欠点がある。
【０００４】
本発明は、このような問題点に鑑みてなされたものであり、その目的とするところは、金型プレスを使用せずに、吹付塗装に比べると再現性があってムラがなく、しかも変化に富み且つ絵柄模様と一体となった凹凸模様を付与できる化粧材を提供することにある。
【課題を解決するための手段】
【０００５】
請求項１に記載の発明である化粧材は、基材の表面に、互いに独立した島状であって表面が平坦面からなる凸部領域が形成され、該凸部領域は、平面視形状が半島状突出部と湾状嵌入部とからなる閉曲線状の輪郭線を有すると共に、周縁部が丸みを帯びていることを特徴としている。
【０００６】
請求項２に記載の発明である化粧材は、請求項１に記載の化粧材において、基材の表面が粗面で、凸部領域の平坦面が平滑面であることを特徴としている。
【０００７】
請求項３に記載の発明である化粧材は、請求項１又は２に記載の化粧材において、凸部領域の周縁部が土手状に盛り上がっていることを特徴としている。
【０００８】
請求項４に記載の発明である化粧材は、請求項１〜３のいずれかに記載の化粧材において、凸部領域が互いに形状の異なった凸部の２段重ねになっていることを特徴としている。
【０００９】
請求項５に記載の発明である化粧材は、請求項４に記載の化粧材において、凸部領域の１段目又は２段目の凸部のいずれか一方に金属箔粉顔料を添加してなることを特徴としている。
【００１０】
そして、請求項６に記載の発明であるドアは、請求項１〜５のいずれかに記載の化粧材を表面に有することを特徴としている。
【発明の効果】
【００１１】
本発明は以上のように構成されているので、次に記載の効果を奏する。
【００１２】
請求項１に記載の化粧材は、粉体塗装風の立体感のある凹凸模様を基材の表面に形成でき、しかも吹付塗装に比べて再現性がよく、ムラなく凹凸模様を再現することができる。
【００１３】
請求項２に記載の化粧材は、粗面の基材上に平滑面の凸部領域が形成された状態であるので、凸部領域の凹凸模様が強調されると共に段差も強調されて、立体感が表現されたものとなる。
【００１４】
請求項３に記載の化粧材は、凸部領域の周縁部を土手状に盛り上げたことにより、凸部の高さが強調されることから、より立体感が表現されたものとなる。
【００１５】
請求項４に記載の化粧材は、凸部領域が互いに形状の異なった凸部の２段重ねになっているので、より変化に富んだ外観の凹凸模様を実現できる。
【００１６】
請求項５に記載の化粧材は、凸部領域の１段目又は２段目の凸部のいずれか一方に金属箔粉顔料を添加したことにより、１段目の凸部領域と２段目の凸部領域の模様の違い及び段差が強調されて見えると共に、金属光沢部分を有したより変化に富んだ凹凸模様を実現できる。
【００１７】
そして、請求項６に記載の発明であるドアは、上記の化粧材を表面に有しているので、高級感のあるデザインを備えたものとなる。
【図面の簡単な説明】
【００１８】
【図１】本発明に係る化粧材の説明図である。
【図２】図１のＡ−Ａ線に対応した説明図である。
【図３】基材の全面に凸部領域を設けた例を示すパターン図である。
【図４】基材の上に部分的に凸部領域を設けた例を示すパターン図である。
【図５】凸部領域の周縁部を土手状に盛り上げた例を示す説明図である。
【図６】図５の一部拡大断面図である。
【図７】凸部領域が２段重ねになっている例を示す説明図である。
【図８】本発明の化粧材を利用した鋼板ドアの一例を示す正面図である。
【図９】基材の全面に凸部領域を設けた別の例を示すパターン図である。
【発明を実施するための形態】
【００１９】
図１は本発明に係る化粧材の説明図、図２は図１のＡ−Ａ線に対応した説明図であり、これらの図に示すように、化粧材は、基材１０と、その基材１０の表面に島状に多数設けられた凸部領域２０とで構成されている。
【００２０】
基材１０としては、金属板が好ましく用いられる。中でも、亜鉛メッキ鋼板、ステンレス鋼板等の鉄板が実用的である。その他に、アルミニウム板、銅板等も使用できる。使用される金属板の厚みは、０．３〜３ｍｍ程度である。
【００２１】
金属板には、必要に応じて公知の表面処理が施される。例えば、亜鉛、錫、クロム等のメッキ、クロメート処理、下地塗装処理（ポリ塩化ビニル樹脂、ポリエステル樹脂、エポキシ樹脂、ウレタン樹脂、アクリル樹脂、フッ素樹脂等）である。
【００２２】
基材１０としては、金属板の他に、木板、樹脂板、シート等も使用できる。木板としては、杉、松、樫、ラワン、チーク等の合板、単板、集成材、繊維板等が挙げられる。樹脂板としては、アクリル樹脂、ポリカーボネート樹脂、ポリスチレン樹脂、フェノール樹脂、ＡＢＳ樹脂等の板材が挙げられる。シート（乃至はフィルム）としては、紙、不織布、樹脂シート等が挙げられる。
【００２３】
基材１０の表面に設けられる凸部領域２０は、それぞれが互いに独立した島状であって、その平面視形状が半島状突出部２１と湾状嵌入部２２とからなる閉曲線状の輪郭線を有すると共に、周縁部が丸みを帯びている。すなわち、周縁部が平面視形状において隅角部が曲率を持った曲線状をなすと共に、その断面においても隅角部は曲率を有していて切り立った状態にはなっていない。個々の凸部領域２０は、大きさも形状もランダムである。そして、立体感のある凹凸外観を発現させるため３０μｍ以上の高さが必要で、通常は７０〜１３０μｍ程度で形成する。個々の凸部領域２０の大きさ（拡がり）は、該凸部領域２０の外接円の径２Ｒで評価した場合に、大体通常は２Ｒ＝２〜２０ｍｍ程度とする。また、基材１０の全表面積Ｓに占める凸部領域２０の面積をＴとすると、Ｔ／Ｓ＝２０〜９０％程度とする。
【００２４】
凸部領域の形成方法としては、シルクスクリーン印刷による盛上印刷が挙げられる。凸部領域を形成する材料には、バインダー樹脂、顔料、添加剤からなるインクが使用される。
【００２５】
バインダー樹脂としては、ポリ塩化ビニル、ポリエステル樹脂、ウレタン樹脂、フッ素樹脂等が挙げられる。
【００２６】
顔料としては、チタン白、カーボンブラック、弁柄、黄鉛、群青等の無機顔料、アニリンブラック、キナクリドンレッド、イソインドリノンイエロー、フタロシアニンブルー等の有機顔料を用いる。
【００２７】
添加剤は、必要に応じて添加されるものであり、充填材とその他からなる。充填材としては、炭酸カルシウム、硫酸バリウム、タルク、ベントナイト、マイクロシリカ等の粉末、ウレタン樹脂、ポリメーポート樹脂、ナイロン、アクリル等の樹脂からなる樹脂ビーズ、ベンゾトリアゾール系、ベンゾフェノン系等の紫外線吸収剤、ヒンダードアミン系ラジカル捕捉剤等の光安定剤、可塑剤、酸化防止剤等が挙げられる。
【００２８】
凸部領域の分布は、基材の全面でもよいし、部分的でもよい。図３は基材１０の全面に凸部領域２０を設けた例を示すパターン図である。図４は基材１０の上に部分的に凸部領域２０を設けた例を示すパターン図であり、タイル貼りパターンのタイル部に凸部領域２０を配置し、目地溝には凸部領域を設けていない。
【００２９】
凸部領域の周縁部は土手状に盛り上がった形状にすることが好ましい。図５は凸部領域２０の周縁部を土手状とした例を示す説明図である。土手（堤）状部を符号Ｄで表している。このような土手を設ける場合、図６に示すように、土手の高さΔＴは、中央の平坦面の高さをＴとすると、ΔＴ／Ｔ＝０．１〜０．３程度とする。
【００３０】
凸部領域２０の周縁部に土手を形成するには、凸部領域２０を形成するインクを溶剤で稀釈しておき、印刷後に稀釈溶剤が乾燥して固化する時の収縮現象を利用する。或いは、凸部領域２０を形成するインクのバインダー樹脂を硬化収縮性樹脂、例えばポリオールとイソシアネートとからなる２液硬化型樹脂を選択し、収縮時に中央がより凹む現象を利用する。
【００３１】
凸部領域は互いに形状の異なった凸部を多層重ねて形成してもよい。この場合、２層でもよいし、３層以上に重ねてもよいが、下層の凸部が見えるようにしないと意味がない。このように形状の異なった複数のパターンの重ね合わせることにより、凹凸が多段階になった外観を実現できる。図７は凸部領域２０が２段重ねになっている例を示す説明図であり、島状の凸部２３の上に形状の異なった別の凸部２４が重なっている。
【００３２】
凸部領域を多層で構成する場合、各層の色調を異ならせることが望ましい。その場合、１層目と２層目の段差及び模様形状の差が明瞭となり、より変化に富んだ凹凸模様を実現するため、いずれか１層を金属光沢とすることが好ましい。例えば、アルミニウム、真鍮箔粉からなる金属光沢顔料を含むインクを用いるか、或いは、雲母箔粉、二酸化チタン被覆雲母の箔粉等からなるパール顔料等の光輝性顔料を含むインクを用いて盛上印刷する。
【００３３】
本発明の化粧材においては、凸部領域の表面と基材の露出面の各々の表面粗さは、種々の組合せが可能である。最も好ましい組合せは、図２の如く、凸部領域２０の表面を平滑面とし、基材１０の露出面１０ａを粗面とする組合せである。ここで、平滑面としてはＪＩＳＢ０６０１の中心線平均粗さＲａで３μｍ未満の表面を、また粗面としてはＲａで３〜２０μｍ程度の表面を意味する。目視で観察すると、平滑面は高光沢（艶有り）に、また粗面は低光沢（艶消し）に見える。凸部領域を平滑面にするには、凸部領域に印刷するインクに艶消剤及び艶消剤として機能する充填剤を無添加とする。基材の露出面を粗面とするためには、基材表面に粒径１〜２０μｍ程度のシリカ、アルミナ等からなる艶消剤を１〜３０質量％程度添加した艶消の塗料を塗装したり、或いは、基材表面をサンドブラスト加工等によって研削する。図２のように、凸部領域２０を平滑面とし且つ基材１０の露出面を粗面とした場合は、凸部領域２０の模様形状が強調されると共に、凸部領域２０の段差も強調されて見える。
【００３４】
本発明の化粧材は、ドアや扉の面材、エレベーターや車両の壁面を始めとして、建築物の壁面、天井、床等の内装用、サイディング等の外壁、塀、屋根等の外装用として広く利用される。
【００３５】
図８は本発明の化粧材を利用した鋼板ドアの一例を示す正面図である。この鋼板ドア３０は、鋼板の表面に下地塗装を行って、下地部分３１の色付けをし、その下地塗装の上から、シルクスクリーン印刷で盛上げ印刷を行って部分的に凸部領域３２を設けている。すなわち、図４と同様にタイル貼りパターンのタイル部に凸部領域３２を配置し、目地溝には凸部領域を設けていない。図８において、３３は金モール、３４は把手、３５は鍵穴、３６はヒンジである。図示のように本発明の化粧材を利用することにより、高級感のある鋼板ドアを製造することができる。
【実施例１】
【００３６】
（実施例１）０．６ｍｍ厚の亜鉛メッキ鋼板を準備し、これに脱脂、洗浄等の前処理を施してから、ポリエステル系メラミン樹脂を主体としたプライマー塗料をロールコート法により塗布した後、２００℃で２分間の加熱焼付け処理を施した。さらに、艶消し剤としてシリカを２０重量％添加し、顔料としてチタン白とカーボンブラックを添加してなる灰色のポリ塩化ビニル樹脂塗料を、膜厚４０μｍで塗装し、２００℃で１分間の加熱焼付け処理を施し、粗面艶消しの下地塗装を施した鋼板とした。
【００３７】
この下地塗装を行った鋼板に、シルクスクリーン印刷で盛上げ印刷を行って凸部領域を形成した。この実施例１では、図３に示す如き互いに独立した島状の柄パターンの版を使用し、顔料として弁柄とカーボンブラックを添加した艶消剤は無添加の黒褐色のポリ塩化ビニル樹脂インクを膜厚１００μｍで印刷し、２５０℃で３分間の加熱焼付け処理を行って、表面が平滑で光沢の有る凸部領域とした。これにより立体感のある化粧鋼板が得られた。
【００３８】
（実施例２）実施例１と同様の下地塗装を行った鋼板に、シルクスクリーン印刷で盛上げ印刷を行って凸部領域を形成した。この実施例２では形状の異なった凸部の２段重ねで凸部領域を形成した。まず、図３に示す如き互いに独立した島状の柄パターンの版を使用し、顔料としてクロムバーミリオンとカーボンブラックを添加した暗赤色のポリ塩化ビニル樹脂インクを膜厚１００μｍで印刷し、２００℃で２分間の加熱焼付け処理を施し、次いで、図３とは異なった別の島状の柄パターンである図９の柄パターンを使用し、真鍮の金属箔粉を５質量％添加したポリ塩化ビニル樹脂インクを膜厚１０μｍで印刷し、２５０℃で３分間の加熱焼付け処理を行った。これにより金属感と立体感が表現され、粉体塗装風の外観を呈する化粧鋼板が得られた。
【００３９】
（実施例３）実施例１と同様の下地塗装を行った鋼板に、シルクスクリーン印刷で盛上げ印刷を行って凸部領域を形成した。この実施例３では、図３に示す如き互いに独立した島状の柄パターンの版を使用し、カーボンブラックを添加した黒色のポリ塩化ビニル樹脂インクを芳香族炭化水素系溶剤で３０％希釈したものを用いて膜厚１００μｍで印刷し、２５０℃で３分間の加熱焼付け処理を行った。これにより、印刷部の周縁部に５μｍ程度盛り上がった土手が形成され、より立体感のある化粧鋼板が得られた。
【００４０】
（実施例４）実施例１と同様の下地塗装を行った鋼板に、シルクスクリーン印刷で盛上げ印刷を行って凸部領域を形成した。この実施例４では、図３に示す如き互いに独立した島状の柄パターンの版を使用し、艶消し剤としてシリカを２０重量％添加し、顔料としてクロムバーミリオンとカーボンブラックを添加してなる暗赤色のポリ塩化ビニル樹脂インクを膜厚１００μｍで印刷し、２５０℃で３分間の加熱焼付け処理を行って、表面が粗面で艶消しの凸部領域を形成した。実施例１に比べて立体感は少ないものの外観の良好な化粧鋼板が得られた。
【符号の説明】
【００４１】
１０            基材
１０ａ          露出面
２０            凸部領域
２１            半島状突出部
２２            湾状嵌入部
２３，２４      凸部
３０            鋼板ドア
３１            下地部分
３２            凸部領域
３３            金モール
３４            把手
３５            鍵穴
３６            ヒンジ
Ｄ              土手状部
【図１】
2011140234.tif 000003
【図２】
2011140234.tif 000004
【図３】
2011140234.tif 000005
【図４】
2011140234.tif 000006
【図５】
2011140234.tif 000007
【図６】
2011140234.tif 000008
【図７】
2011140234.tif 000009
【図８】
2011140234.tif 000010
【図９】
2011140234.tif 000011
【手続補正書】
【提出日】平成23年4月5日(2011.4.5)
【手続補正２】
【補正対象書類名】特許請求の範囲
【補正対象項目名】全文
【補正方法】変更
【補正の内容】
【特許請求の範囲】
【請求項１】
基材の表面に、互いに独立した島状であって表面が平坦面からなる凸部領域が形成される、と共に前記凸部領域以外の領域は下地塗装のみからなる下地塗装の露出面であり、前記凸部領域は、平面視形状が半島状突出部と湾状嵌入部とからなる閉曲線状の輪郭線を有すると共に、周縁部が丸みを帯びており、前記下地塗装が粗面で、前記凸部領域の平坦面が平滑面であることを特徴とする化粧材。
【請求項２】
下地塗装が、艶消剤を含有することを特徴とする請求項１に記載の化粧材。
【請求項３】
前記平滑面がＪＩＳＢ０６０１の中心線平均粗さＲａ３μｍ未満であり、粗面がＲａで３〜２０μｍである請求項１又は２に記載の化粧材。
【請求項４】
凸部領域の周縁部が土手状に盛り上がっていることを特徴とする請求項１〜３のいずれかに記載の化粧材。
【請求項５】
凸部領域が互いに形状の異なった凸部の２段重ねになっている請求項１〜４のいずれかに記載の化粧材。
【請求項６】
凸部領域の１段目又は２段目の凸部のいずれか一方に金属箔粉顔料を添加してなる請求項５に記載の化粧材。
【請求項７】
請求項１〜６のいずれかに記載の化粧材を表面に有することを特徴とするドア。
【請求項８】
基材の表面に、互いに独立した島状であって表面が平坦面からなる凸部領域が形成される、と共に前記凸部領域以外の領域は下地塗装のみからなる下地塗装の露出面であり、前記凸部領域は、平面視形状が半島状突出部と湾状嵌入部とからなる閉曲線状の輪郭線を有すると共に、周縁部が丸みを帯びており、前記下地塗装が粗面で、前記凸部領域の平坦面が平滑面である化粧材の製造方法であって、基材表面に艶消剤を含有する塗料により下地塗装を形成し、前記下地塗装上に凸部領域を形成することを特徴とする化粧材の製造方法。
【手続補正３】
【補正対象書類名】明細書
【補正対象項目名】０００１
【補正方法】変更
【補正の内容】
【０００１】
本発明は、建築物や車両などの内装や外装に使用される化粧材に係り、特に凹凸模様による高級感のある外観を有する化粧材及びそれを用いたドア並びに化粧材の製造方法に関するものである。
【手続補正４】
【補正対象書類名】明細書
【補正対象項目名】０００５
【補正方法】変更
【補正の内容】
【０００５】
請求項１に記載の発明である化粧材は、基材の表面に、互いに独立した島状であって表面が平坦面からなる凸部領域が形成される、と共に前記凸部領域以外の領域は下地塗装のみからなる下地塗装の露出面であり、前記凸部領域は、平面視形状が半島状突出部と湾状嵌入部とからなる閉曲線状の輪郭線を有すると共に、周縁部が丸みを帯びており、前記下地塗装が粗面で、前記凸部領域の平坦面が平滑面であることを特徴としている。
【手続補正５】
【補正対象書類名】明細書
【補正対象項目名】０００６
【補正方法】変更
【補正の内容】
【０００６】
請求項２に記載の発明である化粧材は、請求項１に記載の化粧材において、下地塗装が、艶消剤を含有することを特徴としている。
請求項３に記載の発明は、請求項１又は２に記載の化粧材において、前記平滑面がＪＩＳＢ０６０１の中心線平均粗さＲａ３μｍ未満であり、粗面がＲａで３〜２０μｍである。
【手続補正６】
【補正対象書類名】明細書
【補正対象項目名】０００７
【補正方法】変更
【補正の内容】
【０００７】
請求項４に記載の発明である化粧材は、請求項１〜３のいずれかに記載の化粧材において、凸部領域の周縁部が土手状に盛り上がっていることを特徴としている。
【手続補正７】
【補正対象書類名】明細書
【補正対象項目名】０００８
【補正方法】変更
【補正の内容】
【０００８】
請求項５に記載の発明である化粧材は、請求項１〜４のいずれかに記載の化粧材において、凸部領域が互いに形状の異なった凸部の２段重ねになっていることを特徴としている。
【手続補正８】
【補正対象書類名】明細書
【補正対象項目名】０００９
【補正方法】変更
【補正の内容】
【０００９】
請求項６に記載の発明である化粧材は、請求項５に記載の化粧材において、凸部領域の１段目又は２段目の凸部のいずれか一方に金属箔粉顔料を添加してなることを特徴としている。
【手続補正９】
【補正対象書類名】明細書
【補正対象項目名】００１０
【補正方法】変更
【補正の内容】
【００１０】
そして、請求項７に記載の発明であるドアは、請求項１〜６のいずれかに記載の化粧材を表面に有することを特徴としている。
請求項８に記載の発明は、基材の表面に、互いに独立した島状であって表面が平坦面からなる凸部領域が形成される、と共に前記凸部領域以外の領域は下地塗装のみからなる下地塗装の露出面であり、前記凸部領域は、平面視形状が半島状突出部と湾状嵌入部とからなる閉曲線状の輪郭線を有すると共に、周縁部が丸みを帯びており、前記下地塗装が粗面で、前記凸部領域の平坦面が平滑面である化粧材の製造方法であって、基材表面に艶消剤を含有する塗料により下地塗装を形成し、前記下地塗装上に凸部領域を形成することを特徴とする化粧材の製造方法である。